(57)【要約】      （修正有）【課題】手すりの剛性が確保でき、歩行者が全体重を掛けたとしても破損する恐れがなく、発光素子が容易に交換でき、屋外に設置しても、錆びたりすることがなく、効率的に発光素子の熱を放熱することができ、浸水時や結露時などでも漏電が発生しない、安全で信頼性が高くメンテナンスが容易な発光素子内臓手すりを提供する。【解決手段】長手方向と直行する断面形状を凹溝を有する筒状に形成した金属製管からなる手すり本体と、凹溝の開口部に脱着自在に取付けられた照明カバーと、点灯回路を設けたテープ状基板に発光素子を複数配設した発光手段と、テープ状基板が長手方向に沿って密着固定され発光素子が点灯時に発生する熱を放熱する放熱手段とを有する。放熱手段を手すり本体の凹溝の開口部と対向する底板に所定の隙間を設け、発光素子の発光した光が凹溝の開口部に取付けられた照明カバーから外部に照射するように固定した。【選択図】図４
0003167077.tif 000002
【実用新案登録請求の範囲】
【請求項１】
発光素子を手すり本体に内蔵した手すりにおいて、長手方向と直行する断面形状を凹溝を有する筒状に形成した金属製管からなる手すり本体と、前記凹溝の開口部に脱着自在に取付けられた照明カバーと、点灯回路を設けたテープ状基板に前記発光素子を複数配設した発光手段と、前記テープ状基板が長手方向に沿って密着固定され前記発光素子が点灯時に発生する熱を放熱する放熱手段と、前記放熱手段を前記手すり本体の前記凹溝の開口部と対向する底板に所定の隙間で設けるとともに前記発光素子の発光した光が前記凹溝の開口部に取付けられた前記照明カバーから外部に照射するように固定した事を特徴とする発光素子内臓手すり。
【請求項２】
前記凹溝を鉛直方向の下方になるように配置したことを特徴とする請求項１記載の発光素子内臓手すり。
【請求項３】
前記手すり本体の長手方向と直行する断面形状を前記凹溝を有する筒状に形成したアルミ製またはステンレス製押出管で構成したことを特徴とする請求項１および２のいずれかに記載の発光素子内臓手すり。
【請求項４】
前記凹溝の開口部と対向する前記底板および前記照明カバーに所定の間隔で通気孔を設けたことを特徴とする請求項１から３のいずれかに記載の発光素子内臓手すり。
【請求項５】
前記発光手段を透明シリコン樹脂などでコーティングした防水構造としたことを特徴とする請求項１から４のいずれかに記載の発光素子内臓手すり。
【考案の詳細な説明】
【技術分野】
【０００１】  この考案は、屋外および屋内の階段、玄関、道路脇、通路、廊下、プールサイド、ベランダ、浴室、トイレなどに設置して、歩行者の足元を照明し暗闇の歩行の安全を確保するため、使用する発光素子内臓手すりに関する。
【背景技術】
【０００２】  実公昭４０−１４９２２には手摺の外周に保護皮膜で保護された発光体層を設けた階段等の表示装置が示されている。【０００３】  また、実開平１−８６６２９には、手摺りの適数箇所にＬＥＤからなるガイドライトを埋め込んだガイドライト付き手摺りが示されている。【０００４】  そして、特開２００５−９０９３には、ＬＥＤ配線基盤用受け入れ溝レールに複数のＬＥＤを取り付けたＬＥＤ配線基板を敷設し、光透過用貫通孔より光を透過させる屋内用のスポット照明手摺りが開示されている。
【先行技術文献】
【特許文献】
【０００５】
【特許文献１】実公昭４０−１４９２２
【特許文献２】実開平１−８６６２９
【特許文献３】特開２００５−９０９３
【考案の概要】
【考案が解決しようとする課題】
【０００６】  実公昭４０−１４９２２の階段等の表示装置は、繰返し擦れたり、傷ついたりすると発光体層が損傷するなど耐久性に問題がある。【０００７】  また、実開平１−８６６２９のガイドライト付き手摺では、凹溝を適数箇所設けるための加工コストや、ガイドライトを交換するのに手間がかかるなど維持のための経費が高くなるなどの課題があった。しかも、手摺りに直接埋め込まれているため、夏の暑い時期の直射日光などで、手摺りが５０℃から６０℃の高温になったときなどに点灯するとガイドライトの発熱により破損のおそれがあった。【０００８】  そして、特開２００５−９０９３の屋内用のスポット照明手摺りは、近年の高輝度ＬＥＤを装着するとＬＥＤ自身の発熱でＬＥＤが破損するおそれがあるばかりでなく、光透過用貫通孔を設けるため、手摺り本体の強度が弱くなり、歩行者が体重を掛けるたときの破損防止のためにアルミ押出管の強度を高めるため肉厚を厚くしなければならないなど資源の無駄が生じる。
【課題を解決するための手段】
【０００９】  本考案は、これらの課題を解決するため、および手すり本体の剛性確保とＬＥＤの発熱に対処するため、発光素子を手すり本体に内蔵した手すりにおいて、長手方向と直行する断面形状を凹溝を有する筒状に均一に形成した金属製管からなる手すり本体と、凹溝の開口部に脱着自在に取付けられた照明カバーと、適宜の点灯回路を設けたテープ状基板に発光素子を複数配設した発光手段と、テープ状基板が長手方向に沿って密着固定され発光素子が点灯時に発生する熱を放熱する放熱手段と、放熱手段を手すり本体の凹溝の開口部と対向する底板に所定の隙間を設けるとともに発光素子の発光した光が凹溝の開口部に取付けられた照明カバーから外部に照射するように固定することを特徴とする発光素子内臓手すりを提供するものである。【００１０】  また、凹溝の開口部を鉛直方向の下方になるように配置したことを特徴とする発光素子内臓手すりを提供するものである。【００１１】  そして、手すり本体の長手方向と直行する断面形状を凹溝を有する筒状に形成したアルミ製またはステンレス製押出管で構成したことを特徴とする発光素子内臓手すりを提供するものである。【００１２】  さらに、凹溝の開口部と対向する底板および照明カバーに所定の間隔で通気孔を設けたことを特徴とする発光素子内臓手すりを提供するものである。【００１３】  最後に、発光手段を透明シリコン樹脂などでコーティングした防水構造としたことを特徴とする発光素子内臓手すりを提供するものである。
【考案の効果】
【００１４】  本考案の発光素子内臓手すりは、手すり本体が発光素子を手すり本体に内蔵した手すりにおいて、長手方向と直行する断面形状を前記凹溝を有する筒状に形成した金属製管からなり、凹溝の開口部を鉛直方向の下方になるように配置した凹溝の開口部両脇の側板と、凹溝の開口部と対向する底板とが強度メンバーとなり、剛性が確保できるため、歩行者が体重を掛けたとして破損する恐れがない。【００１５】  また、脱着自在に取付けられた照明カバーと、点灯回路を設けたテープ状基板に発光素子を複数配設した発光手段と、テープ状基板が長手方向に沿って密着固定され発光素子が点灯時に発生する熱を放熱する放熱手段と、放熱手段を手すり本体の凹溝の開口部と対向する底板に所定の隙間で設けるとともに発光素子の発光した光が凹溝の開口部に取付けられた照明カバーから外部に照射するように着脱自在に固定することにより、発光素子が破損し交換するとき、照明カバーを外し、発光手段が密着固定された放熱手段ごと底板から取外し、容易に交換することができる。【００１６】  そして、手すり本体をアルミ製またはステンレス製押出管で構成すれば、屋外に設置しても、錆びたりすることがない。【００１７】  さらに、凹溝の開口部と対向する底板および照明カバーに所定の間隔で通気孔を設けたことにより、空気の対流により効率的に発光素子の熱を放熱することができる。【００１８】  また、発光手段を透明シリコン樹脂などでコーティングした防水構造としたことにより、浸水時や結露時などでも漏電が発生しない。【００１９】  以上の効果が有機的に作用し、安全で信頼性が高くメンテナンスが容易な発光素子内臓手すりが提供できる。
【図面の簡単な説明】
【００２０】
【図１】発行素子内臓手すりの傾斜地への設置図
【図２】Ａ部拡大図
【図３】Ｂ−Ｂ断面図
【図４】Ｃ−Ｃ断面図
【図５】Ｄ−Ｄ断面図
【図６】発行素子内臓手すりの平地への設置図
【図７】Ｅ部拡大図
【図８】Ｆ−Ｆ断面図
【考案を実施するための形態】
【００２１】  以下、本考案の発光素子内臓手すりの実施するための形態を、図面を参照しながら、具体的に説明する。
【実施例１】
【００２２】  １は傾斜地に設置された手すりを示す。２は支柱を示し、適宜の工法で地面に固定されている。支柱２の先端はネジ２２により高さ調整自在に細径支柱３が螺合し、傾斜地の設置面の高さの変化する割合が微妙に異なっても現場で容易にそれぞれの細径支柱３を回転させ高さ調整が可能である。【００２３】  ４は手すり本体を示す。手すり本体４は長手方向と直行する断面形状を凹溝５を有する筒状に形成したステンレス製押出管からなる。なお、手すり本体４はステンレス製押出管でなく、剛性があれば、アルミ製押出管など金属製押出管でもよいことは言うまでもない。【００２４】  凹溝５には、傾斜地の長さにあわせて配置された手すり固定金具６が凹溝５の開口部８と対向する底板９に支柱固定ネジ１０で固定されている。【００２５】  細径支柱３と手すり固定金具６は揺動自在に連結され、傾斜地の角度にあわせ角度が調整された後、角度固定ネジ１１で固定される。【００２６】  凹溝５の底板９にはカバー固定金具１２が溶着固定されている。カバー固定金具１２の側板１３には係止凸部１４が形成されている。この係止凸部１４には照明カバー１５が開口部８に位置するようにカバー側板１６にあけられた穴１７に係止して脱着自在に取付けられている。【００２７】  凹溝５の底板９および照明カバー１５の開口部８に位置する光透過部１８には、長手方向に所定の間隔で通気孔１９、２０が明けられ、対流による内部の換気が可能になっている。【００２８】  適宜のＬＥＤ点灯回路を設けたテープ状基板３０には複数所定の間隔でハンダ付けされたＬＥＤ３１が配設されている。このテープ状基板３０およびＬＥＤ３１は透明シリコン樹脂などの柔軟性樹脂２１でコーティングし、防水構造となっている。【００２９】  テープ状基板３０は略コ字状の放熱板３２に長手方向に沿って熱伝導性を有す接着剤で密着固定され、ＬＥＤ３１が点灯時に発生する熱を放熱する。【００３０】  放熱板３２の両端は、凹溝５の底板９に適宜の隙間を設けるとともにＬＥＤ３１の発光した光が照明カバー１５の光透過部１８から外部に照射可能に照明固定台３３に図示しないがネジなどで着脱自在に固定されている。このため、ＬＥＤ３１の発熱は放熱板３２および通気孔１９，２０の対流により、効率よく外部へ放出できる。【００３１】  ＬＥＤ３１は凹溝５を切り欠くことなく取り付けが可能なため、手すり本体４は補強しなくても剛性は損なわれる事がない。したがって、手すり本体４に歩行者が体重を掛けても破損する恐れがない。【００３２】  また、手すり１の両端はどのような形状でもよいことは言うまでもない。【００３３】  なお、図６に示すように、手すり１を平地に設置する場合、細径支柱３に手すり固定金具４１を溶着し、固定ボルト４２で凹溝５の底板９に直接固定してもよい事は言うまでもない。
【産業上の利用可能性】
【００３４】  本考案の発光素子内臓手すりは、剛性があり発生熱を効率よく放熱できるので、発熱が多大な高輝度タイプＬＥＤも内臓可能であり、より明るさの要求される場所にも対応できるし、カウンター席の足置きや、美術館の絵画照明、広告看板照明等にも利用することができる。
【符号の説明】
【００３５】１    手すり
２    支柱
３    細径支柱
４    手すり本体
５    凹溝
６    手すり固定金具
８    開口部
９    底板
１０  支柱固定ネジ
１１  角度固定ネジ
１２  カバー固定金具
１３  側板
１４  係止凸部
１５  照明カバー
１６  カバー側板
１７  穴
１８  光透過部
１９  通気孔
２０  通気孔
２１  柔軟性樹脂
２２  ネジ
３０  テープ状基板
３１  ＬＥＤ
３２  放熱板
３３  照明固定台
４１  手すり固定金具
４２  固定ボルト
【図１】
0003167077.tif 000003
【図２】
0003167077.tif 000004
【図３】
0003167077.tif 000005
【図４】
0003167077.tif 000006
【図５】
0003167077.tif 000007
【図６】
0003167077.tif 000008
【図７】
0003167077.tif 000009
【図８】
0003167077.tif 000010